(57)【特許請求の範囲】
【請求項１】
駆動装置に駆動されて回転する内槽、外槽、および洗濯媒質とする固体粒子を含んで、前記内槽の内壁の内側に突出し、前記内槽の内壁に沿って曲がるスライドプレートが斜めに設けられて、前記固体粒子は前記内槽の中で斜め上又は斜め下に移動ないし反転するように駆動され、
前記内槽の内側に沿って衣類と前記固体粒子の分離に用いられるネット状の隔離槽が設けられ、
前記洗濯機に前記固体粒子を貯蔵する貯蔵空間が設けられて、前記貯蔵空間が前記内槽と連通し、
前記貯蔵空間は前記内槽の一側への延伸部であって、前記貯蔵空間と前記内槽の間に衣類を止める仕切板が設けられて、前記内槽の内壁のスライドプレートが前記延伸部の内壁に連続して伸びており、
前記貯蔵空間と前記内槽が一方向に連続的に回転する場合には前記固体粒子が前記貯蔵空間から前記内槽に移動し、前記貯蔵空間と前記内槽が他方向に連続的に回転する場合には前記固体粒子が前記内槽から前記貯蔵空間に移動することを特徴とする洗濯機。
【請求項２】
前記スライドプレートが前記内槽の底部からトップへ螺旋状に巻いて設定されることを特徴とする請求項１に記載された洗濯機。
【請求項３】
前記スライドプレートが複数平行に設けられて、前記スライドプレートの前記内槽の側壁に沿う投影の長さが前記内槽の側壁の長さと同じで、前記スライドプレートの二つの端点の間の接続線が前記内槽の軸心線と夾角を持つことを特徴とする請求項１に記載された洗濯機。
【請求項４】
前記夾角が鋭角または鈍角であることを特徴とする請求項３に記載された洗濯機。
【請求項５】
前記スライドプレートの数が２−１０で、内槽の槽壁に沿って均一的に設けられていることを特徴とする請求項３に記載された洗濯機。
【請求項６】
前記スライドプレートの数が５−８であることを特徴とする請求項５に記載された洗濯機。
【請求項７】
前記隔離槽の底部とトップがそれぞれ内槽の底部とトップと固定されて接続されることを特徴とする請求項１〜６のいずれか一項に記載された洗濯機。
【請求項８】
前記仕切板の周りと前記内槽の内壁の間に前記貯蔵空間と前記内槽を連通する通路を有することを特徴とする請求項１に記載された洗濯機。  
【請求項９】
前記スライドプレートの横断面が流線型であることを特徴とする請求項１〜６のいずれか一項に記載された洗濯機。
【請求項１０】
洗濯機の内槽の内壁の内側に突出する複数のスライドプレートを斜めに設けて、前記内槽の回転時に、前記内槽内で、斜めに設けたスライドプレートで前記固体粒子を前記スライドプレートに沿って斜め上又は斜め下に移動ないし反転させて、前記固体粒子及び衣類と水を混合し共に反転させて、衣類の洗濯を完成することを特徴とする、請求項１〜９のうちのいずれか一項に記載の洗濯機を用いた洗濯方法。
【請求項１１】
前記貯蔵空間と前記内槽を一方向に連続的に回転して前記固体粒子を前記貯蔵空間から前記内槽に投入すること、および、前記貯蔵空間と前記内槽を他方向に連続的に回転して前記固体粒子を前記内槽から前記貯蔵空間に回収することを特徴とする請求項１０に記載された洗濯方法。
【請求項１２】
前記衣類の洗濯中、および前記固体粒子の投入と回収中に、前記内槽と前記延伸部が５０−１５０回転／ｍｉｎの回転速度で回転することを特徴とする請求項１０または１１に記載された洗濯方法。
【請求項１３】
前記固体粒子の貯蔵に用いられる貯蔵空間が前記内槽の一側への延伸部で、前記内槽のスライドプレートが前記延伸部の内壁に連続して伸びて、前記延伸部と前記内槽が同時に回転して、前記固体粒子が前記スライドプレートの動きによって前記内槽から離れて前記貯蔵空間内に回収されることを特徴とする請求項１１に記載された洗濯方法。
【請求項１４】
前記固体粒子が前記延伸部に回収された後、前記固体粒子が回収される前、または前記固体粒子の回収時に、前記内槽と前記延伸部を１００−１０００回転／ｍｉｎの回転速度で回転して、前記固体粒子を前記延伸部の方向へ移動させて、衣類と前記固体粒子の脱水を同時に行う過程を有することを特徴とする請求項１３に記載された洗濯方法。
【発明の詳細な説明】
【技術分野】
【０００１】
本発明は洗濯機に関し、特に粒子を使って洗濯に参与する洗濯機および洗濯方法に関するものであるが、洗濯機の技術分野に属する。
【背景技術】
【０００２】
伝統的な洗濯機の洗濯方法は水を洗濯媒質にして、洗濯機内に水と洗剤を入れて洗濯する。洗濯後に脱水機能を利用して洗濯機内の汚水を排出して、それから再びきれいな水を入れて、洗濯やすすぎの過程を引き続き行って、洗濯が終わった後に更に水を排出するのである。このような方法ではただ水を排出して、更にきれいな洗濯水を入れるので、水の消耗量がとても大きいのである。同時、洗濯液にまたわりに多い環境に有害な化学物質を含んで、その上毎回の洗濯過程に時間がかかって、電気消費量がわりに多いのである。
【０００３】
伝統的な洗濯機の欠点に対して、当面の技術では重合体材料で特殊に製作した固体粒子を洗濯媒質とする洗濯方法が出て、固体粒子と衣類の間の摩擦を通して、衣類のあかを吸着して吸収して、それによって洗濯機能を実現するのである。当該洗濯方法は８０％以上に節水することができて、また、当該固体粒子の洗濯媒質は回収して二次利用することができて、使用寿命が長くて、交換を必要としなくて、安全で環境にやさしいのである。
【０００４】
当該粒子の洗濯方法による洗濯機は、普通に洗濯機に粒子貯蔵空間を設けて、そして外槽に投入孔と排出孔を設けて、洗濯前に、粒子が投入孔から外槽に投入されて、洗濯後に、粒子が完全に粒子貯蔵空間に回収される。粒子の回収時、高速に回転する内槽で、遠心力によって粒子を貯蔵空間内に入れる。粒子に脱水を行う場合、再度に粒子の投入と回収を行う必要があるので、洗濯機の構造と洗濯プロセスが比較的に複雑で、その上粒子１００％の回収率を保証することができないのである。
【発明の概要】
【課題を解決するための手段】
【０００５】
本発明の主な目的は上記の問題と欠点を解決することにあって、構造が簡単で、洗濯プロセスを簡略化にして、洗浄率を高めて、そして粒子の回収に有利な洗濯機を提供する。
【０００６】
本発明の別の主な目的は、洗濯プロセスを簡略化にして、そして洗浄率を高めて、そして粒子の回収に有利な洗濯方法を提供する。
【０００７】
上記の目的を実現するために、本発明の技術方案は、
駆動装置に駆動されて回転する内槽、外槽と洗濯媒質とする固体粒子を含んで、上記の内槽の内壁に内へ突出して上記の内槽の壁に沿って曲がるスライドプレートを設けて、上記のスライドプレートが上記の粒子を上や下に斜めに運動と反転するように動かす洗濯機。
【０００８】
更に、上記のスライドプレートが上記の内槽の底部からトップまで螺旋に巻いて設けられている。
【０００９】
更に、上記のスライドプレートが平行に多数に設けられて、上記のスライドプレートが上記の内槽の側壁に沿う投影の長さが上記の内槽の側壁の長さと同じで、その二つの端点の間の接続線が上記の内槽の軸心線と夾角を持つ。
【００１０】
更に、上記の夾角が鋭角や鈍角である。
【００１１】
更に、上記のスライドプレートの数が２−１０で、上記の内槽の壁に沿って均一的に設けられている。
【００１２】
更に、上記のスライドプレートの数が５−８である。
【００１３】
更に、上記の内槽の内側に沿って衣類と上記の粒子の分離に用いられるネット状の隔離槽を設けて、上記の隔離槽の底部とトップがそれぞれ上記の内槽の底部とトップと固定して接続している。
【００１４】
更に、上記の洗濯機内に上記の粒子を貯蔵する貯蔵空間を設けて、上記の貯蔵空間が上記の内槽と連通している。
【００１５】
更に、上記の粒子貯蔵空間が上記の内槽の一側への延伸部で、上記の貯蔵空間と上記の内槽の間に衣類を止める仕切板を設けて、上記の仕切板の周りと上記の内槽の内壁の間に上記の貯蔵空間と上記の内槽を接続する通路を有して、上記の内槽の側壁のスライドプレートが上記の延伸部の側壁に伸びる。  
更に、上記のスライドプレートの横断面が流線型である。
【００１６】
本発明の別の技術案として、
洗濯機の内槽の内壁に多数の内へ突出するスライドプレートを斜めに設けて、上記の内槽の回転時に、斜めに設けたスライドプレートで粒子を上記のスライドプレートに沿って斜めに上や下に移動してそして上記の内槽内で反転するように動かして、粒子及び衣類と水を混合させてそしてと共に反転して、衣類の洗濯を完成する洗濯方法。
【００１７】
更に、上記の内槽を上記のスライドプレートの斜めな方向と同じや相反の方向に連続的に運転するように駆動して、上記の粒子が上記のスライドプレートの動かしで上記の内槽側の方向に移動して、上記の粒子の投入を完成する。あるいは上記の粒子が上記のスライドプレートの動かしで上記の内槽に離れる方向へ移動して、上記の粒子の回収を完成する。
【００１８】
更に、上記の衣類の洗濯、粒子の投入と回収中に、上記の内槽と上記の延伸部が５０−１５０回転／ｍｉｎの回転速度で運転する。
【００１９】
更に、上記の固体粒子の貯蔵に用いられる貯蔵空間が上記の内槽の片側への延伸部で、上記の内槽のスライドプレートが上記の延伸部の内壁に伸びて、上記の延伸部と上記の内槽が同時に回転して、上記の粒子が上記のスライドプレートの動かしで上記の内槽に離れて上記の貯蔵空間内に回収される。
【００２０】
更に、上記の粒子が上記の延伸部に回収された後に、或いは上記の粒子が回収される前に、或いは上記の粒子の回収時に、上記の内槽と上記の延伸部を１００−１０００回転／ｍｉｎの回転速度で回転して、上記の粒子を上記の延伸部の方向へ移動させて、衣類と粒子の同時の脱水を実現する過程を有する。
【００２１】
上記の内容をまとめて、本発明に述べられる洗濯機と洗濯方法は、当面の技術と比べて次の通りの美点を持っている。
【００２２】
（１）洗濯機の内槽に内槽壁に沿って曲がるスライドプレートを設けて、内槽の交替的な正方向と反方向の回転を利用して、衣類と粒子を内槽で前後と上下の全方位で反転するように動かして、衣類と粒子を更に十分に混合させて、洗浄率を高める。
【００２３】
（２）内槽の正方向と逆方向の反転によって、粒子をスライドプレートに沿って上や下に斜めに移動するように動かして、更に粒子の投入と回収を実現する。
【００２４】
（３）粒子を全て貯蔵空間に回収した後に、内槽の高速な回転によって衣類と粒子の同時の脱水を実現することができる。
【００２５】
（４）本発明は洗濯機の構造を簡略化にして、洗濯プロセスを簡略化にするだけではなく、粒子の１００％の回収にも有利である。
【図面の簡単な説明】
【００２６】
【図１】本発明の構造の説明図である。
【図２】図１のＡ−Ａの断面図である。
【図３】本発明の粒子投入過程の説明図である。
【図４】本発明の粒子回収過程の説明図である。
【発明を実施するための形態】
【００２７】
図１〜図４の通り、外槽１、内槽２、開孔３、駆動装置４、衣類５、スライド６、夾角７、粒子８、隔離槽９、貯蔵空間１０、仕切板１１、開口１２、リフト部１３、接続板１４。
【００２８】
具体的な実施例
次に添付図面と具体的な実施例を結び付けて本発明を詳しく説明する。
【００２９】
実施例一：
図１と図２のように、本実施例ではドラム式洗濯機を例にして洗濯機を詳しく説明する。洗濯機はケース（未図示）を含んで、ケース内に外槽１、内槽２と洗濯媒質とする固体粒子８を設けている。そのうち、外槽１が固定して回転しないが、主に水入れに用いられる。内槽２が洗濯に用いられて、外槽１の内側に設けられて、その槽壁に若干の洗濯水が通ることに用いられる開孔３が均一的に分布して、開孔３の径が固体粒子６の直径より小さくて、開孔３の形が円形、長方形、多角形などでもよい。内槽２が駆動装置４の駆動で回転する。外槽１の上部に取水口（未図示）を設けて、洗濯とすすぎ過程の取水に用いられて、外槽１の下部に排水口（未図示）を設けて、脱水後の排水に用いられる。洗濯時に、衣類５を内槽２に入れる。
【００３０】
内槽２の内壁に多数の内へ突出するスライドプレート６を平行に設けて、スライドプレート６が内槽２の壁に斜めに設けられて、内槽２の壁の弧度に沿って曲がり、その二端点の間の接続線が内槽２の軸心線に対して夾角７を持って、スライドプレート６が内槽２と一緒に回転して、洗濯媒質とする固体粒子８をスライドプレート６に沿って上や下へ斜めに移動するように動かして、一定の高さに移動した時、粒子８がスライドプレート６から内槽２に落ち込んで反転を実現する。スライドプレート板６が斜めにした方向が図１のように上へ斜めにすることができるが、この時、夾角７が鋭角である。下へ斜めにすることができるが、この時に、夾角７が鈍角である。本実施例では、図１のように、夾角７が鋭角のことを例にしたのである。
【００３１】
衣類５と粒子８との分離に便宜を図るために、内槽２の内側に沿って一周の隔離槽９を設けて、衣類５を隔離槽８に入れる。隔離槽８の底部とトップがそれぞれ内槽２の底部とトップと締付部品で固定して接続して、内槽２と同時に回転する。隔離槽９が網状構造を呈して、それによって粒子８と洗濯水が更に出入りしやすくなって、衣類５が隔離槽９に隔離されて、粒子８が隔離槽９と内槽２の間に隔離される。洗濯時に、粒子８は隔離槽９を横切って衣類５と十分に混合する。粒子８は高分子表面の多孔性材料を採用することが好ましくて、粒子８のわりに良い吸着能力を利用して、衣類５と洗濯水の中の汚れを吸着して、わりに良い洗濯効果を達成する。
【００３２】
粒子８に傷を付けないように、本実施例では、スライドプレート６の横断面が流線型を採用することが好ましくて、大体円弧形を呈している。粒子８の直径は大体２−３ｍｍの範囲にあるので、スライドプレート６の高さ５ｍｍ以上とするが、スライドプレート６の高さが内槽２の内壁と隔離槽９の外壁の間の距離以下とする。スライドプレート６の数は２−１０で、５−８が好ましい。図２のように、本実施例ではスライドプレート６の数量が８つで、内槽２の壁に沿って均一に設けられている。スライドプレート６の数量が多ければ多いほど、高さが高くて、動かす可能な粒子８の数量が多くて、粒子８の推進速度が速くて、更に粒子８の投入と回収に有利で、同時に粒子８と衣類との十分な混合にも有利で、更に洗浄率を高める。
【００３３】
普通のドラム式洗濯機と同じで、隔離槽９の内壁に少なくとも一つの内へ突出するリフト部１３を設けて、洗濯中に、衣類５がリフト部１３の作用で、内槽２の中で絶えず上下に反転したり、リフトしたりして、それから更に落として、洗濯効果を達成したまで繰り返す。リフト部１３の数量が１−３を選ぶことができるが、本実施例では３つを選択して、隔離槽９の周りに沿って均一的に分布することが好ましい。同時、内槽２は交替で正方向と逆方向に回転するので、内槽２の槽壁のスライドプレート６の動かしで、粒子６が内槽２の中で絶えず内槽２の軸線の前後方向に沿って運動と反転を行って、衣類５と粒子６を更に十分に混合させて、洗浄率を高める。
【００３４】
洗濯機に固体粒子８を貯蔵する貯蔵空間１０を設けて、貯蔵空間１０が内槽２の片側へ延伸する延伸部で、延伸部には内槽２と同じで、洗濯水が通る開孔３を開けて、延伸部と内槽２が駆動装置４に駆動されて同時に回転して、内槽２の内壁のスライドプレート６が延伸部の内壁に伸びる。本実施例では、貯蔵空間９と内槽２は形が同じで、円槽形を呈するが、丸い環状も採用することができる。もちろん、内槽２もトップ方向に延びることができるが、内槽２のトップに貯蔵空間１０を設けて、衣類の投入と取出に便宜を図るために、貯蔵空間１０は丸い環状を採用することができる。
【００３５】
貯蔵空間１０と内槽２が連通して、貯蔵空間１０と内槽２の間に衣類５を止める仕切板１１を設けて、仕切板１１は内槽２の径方向の中心位置に設けられて、多数の接続板（未図示）と内壁２の槽壁を経由して固定して接続して、仕切板１１の周りと内槽２の内壁の間に貯蔵空間１０と内槽２を接続する通路１２を有して、仕切板１１は衣類５を貯蔵空間１０に入らないように止めるが、粒子８はこの通路１２を通じて貯蔵空間１０に出入りする。
【００３６】
内槽２の回転時に、粒子８は遠心力の作用で、スライドプレート６に沿って上や下へ斜めに移動する。この時、内槽２の回転速度は高くする必要がなくて、洗濯速度だけで実現することができて、普通に５０−１５０回転／ｍｉｎの回転速度で運転することができる。
【００３７】
内槽２と延伸部の回転方向がスライドプレート６の斜めにした方向と逆で、しかもこの方向で連続的に運転する時、粒子８はスライドプレート６の動かしで上や下へ斜めに内槽２の方向に移動して、通路１２を横切って、内槽２に入って、粒子８の内槽２への投入を完成する。
【００３８】
内槽２と延伸部の回転方向がスライドプレート６の斜めな方向に同じで、しかもこの方向で連続的に運転する時に、粒子８はスライドプレート６の動かしで下へ貯蔵空間１０の方向に移動して、通路１２を横切って、内槽２に離れて、貯蔵空間１０に入って、粒子８の貯蔵空間１０への回収を完成する。
【００３９】
当該回収中に、圧倒的部分の粒子８は貯蔵空間１０に回収される。この時に、高速に内槽２と延伸部を回転させて、普通に１００−１０００回転／ｍｉｎの回転速度で運転する。内槽２と延伸部の回転方向がスライドプレート６の斜めな方向に同じで、内槽２内の衣類５と貯蔵空間１０内の粒子８を同時に脱水して、粒子８の再生利用を実現する。この脱水中に、余剰の粒子８は引き続き分離と回収されて、それによって粒子８の１００％の回収を実現する。
【００４０】
貯蔵空間１０は内槽２のトップの片側に位置する場合、粒子８の投入と回収時、内槽２の回転方向は上記に逆にする。
【００４１】
洗濯中に、内槽２が正方向と逆方向に交替で運転するので、粒子８はスライドプレート６の動かしで内槽２の中で絶えず前進と後退を行って、粒子８がスライドプレート６に沿って上や下へ斜めに交替で移動して、一定の高さに移動した時に、粒子８がスライドプレート６から内槽６に落ち込んで反転を実現する。
【００４２】
次に図１〜図４を結び付けて上記のドラム式洗濯機を利用する洗濯方法を詳しく説明する。
【００４３】
当該洗濯方法は次の通りのステップを含む。
【００４４】
ステップ一：洗濯待ちの衣類５を洗濯機の隔離槽９に入れて、同時に外槽１の上方の取水口を開けて、外槽１に水を注いで、洗濯水と洗剤の混合後に外槽１に入って、水が内槽２の開孔３および隔離槽９を通した後に、隔離槽９に入って洗濯待ちの衣類５と十分に混合する。この過程にはただ適量の水と洗剤を入れて、水が衣類５を浸すことを保証するだけで十分である。
【００４５】
洗濯水を注ぎ込んで洗濯待ち衣類を浸す時に、洗濯待ち衣類５を静かに置いて、一定の時間に浸して、水と衣類５を十分に浸潤して、更に洗濯効果を高める。
【００４６】
ステップ二：図３のように、内槽２を回転するように駆動して、内槽２と延伸部の回転方向がスライドプレート６の斜めな方向に逆で、しかもこの方向で連続的に運転して、粒子８が遠心力の作用で内槽２の壁を近づけて、同時にスライドプレート６の動かしで上や下へ斜めに内槽２の方向に移動して、通路１２を横切って、絶えず内槽２に入って、粒子８の内槽２への投入を完成する。
【００４７】
粒子８の投入中に、すでに内槽２に入った粒子８がスライドプレート６の動かしで絶えず落として反転して、衣類５と十分に混合する。
【００４８】
このステップでは、内槽２の回転速度が１００−１５０回転／ｍｉｎの間にある時に、効果が最も良いのである。
【００４９】
ステップ三：図１のように、粒子８がすべて内槽２に投入された後に、この過程は投入時間を限定することでコントロールすることができるが、駆動装置４が内槽２を一定の時間に正方向に回転することを駆動して、停止して、更に一定の時間に反転することで、スライドプレート６が交替で正方向と逆方向に回転して、粒子８が内槽２の中で絶えず前進と後退を行って、粒子８がスライドプレート６に沿って上へ斜めに移動して、一定の高さになった時に、粒子８が下に反転して内槽２に落ち込んで、前後方向での反転を実現する。洗濯中に、衣類５はリフト部１３の作用で上下の方向で反転する。
【００５０】
洗濯中に、粒子８、衣類５と洗濯水が十分に混合して、そして絶えずリフト部１３の作用で上がったり下がったりして、衣類５の洗濯を完成する。
【００５１】
このステップでは、内槽２の回転速度が１００−２００回転／ｍｉｎの間にある時に、効果が最も良いのである。
【００５２】
ステップ四：図４のように、洗濯後に、内槽２を回転するように駆動して、回転中に、粒子８は衣類５と分離して、この時、内槽２は延伸部の回転方向がスライドプレート６の斜めな方向に同じで、しかもこの方向で連続的に運転して、粒子８が遠心力の作用で内槽２の壁に近づけて、同時に粒子８がスライドプレート６の動かしで下へ斜めに貯蔵空間１０方向に移動して、通路１２を横切って、粒子８が絶えず分離されて、絶えず内槽２に離れて貯蔵空間１０に入って、粒子８の貯蔵空間１０への回収を完成する。
【００５３】
このステップでは、内槽２の回転速度が１００−１５０回転／ｍｉｎの間にある時に、効果が最も良いのである。
【００５４】
ステップ五：粒子８が衣類５と分離して回収された後に、高速に内槽２を回転して、内槽２内の衣類５と貯蔵空間１０内の粒子８を同時に脱水して、粒子８の再生利用を実現して、水が外槽１内に蓄積してそして外槽１の下の排水口から排出される。この過程の中で、内槽２と延伸部の回転方向がスライドプレート６の斜めな方向に逆なので、余剰の粒子８を引き続き分離して回収することができて、それによって粒子８の１００％の回収を実現する。
【００５５】
このステップで、内槽２の回転速度が１００−１０００回転／ｍｉｎの回転速度で運転して、通常に洗濯時の回転速度より速いのである。
【００５６】
ステップ六：すすぎステップで、再び外槽１に適量のきれいな水を入れて、上記の過程に従って衣類５をすすぐ。この時に、きれいな水が同様に貯蔵空間１０に入って、衣類５を洗ってすすぐと同時に、同じく粒子８をすすいで、すすいだ後に再度に上記の脱水過程を行って、内槽２に入った少量の粒子８が分離、回収されて、最後に衣類５の全ての洗濯プロセスを完成する。
【００５７】
実施例二：
実施例一との違いとして、先に実施例一に述べられたステップ五を実行して、内槽２と延伸部を高速に回転するように駆動して、内槽２と延伸部の回転方向がスライドプレート６の斜めな方向に逆である。衣類５および粒子８に脱水を行って、脱水の同時に、衣類５と粒子８の分離も実現して、同時、一部の粒子８はスライドプレート６の動かしで下へ斜めに貯蔵空間１０の方向に移動して、貯蔵空間１０に回収されるのである。
【００５８】
それから更に実施例一のステップ四を実行して、内槽２と延伸部を洗濯の回転速度で回転するように駆動して、内槽２と延伸部の回転方向がスライドプレート６の斜めな方向に逆で、しかもこの方向で連続的に運転して、余剰の粒子８を引き続き分離、回収することができて、それによって粒子８の１００％の回収を実現する。
【００５９】
実施例三：
実施例一との違いとして、実施例一に述べられたステップ四を削除して、直接に実施例一に述べられたステップ五を実行して、内槽２と延伸部を高速に回転するように駆動して、内槽２と延伸部の回転方向がスライドプレート６の斜めな方向に逆である。衣類５および粒子８に脱水を行って、脱水の同時に、衣類５と粒子８の分離も実現して、同時、粒子８はスライドプレート６の動かしで下へ斜めに貯蔵空間１０の方向に移動して、貯蔵空間１０に回収されるのである。この過程、内槽２の高速回転時間が長くする必要があって、粒子８が全て貯蔵空間１０に回収されることを保証する。
【００６０】
実施例四：
実施例一との違いとして、貯蔵空間１０が貯蔵箱の構造で、外槽１の外壁に設けられて、貯蔵空間１０が外槽１の槽壁を横切って直接に内槽２と接続して、貯蔵空間１０と内槽２の間の連通孔が内槽２の端部に設けられるのである。
【００６１】
洗濯後に、内槽２を回転するように駆動する。回転中に、粒子８は衣類５と分離する。この時に、内槽２と延伸部の回転方向がスライドプレート６の斜めな方向と同じで、しかもこの方向で連続的に運転して、粒子８がスライドプレート６の動かしで下へ斜めに貯蔵空間１０の方向に移動して、連通孔を通して貯蔵空間１０に入って、粒子８が絶えず分離されて、絶えず内槽２に離れて貯蔵空間１０に入って、粒子６の貯蔵空間１０への回収を完成する。
【００６２】
実施例五：
上記の四つの実施例との違いとして、スライドプレート６の斜めな方向とちょうど逆で、スライドプレート６の二つの端点の間の接続線が内槽２の軸心線の間に対する夾角７が鈍角である。この構造で、粒子８の投入と回収中に内槽２の回転方向はちょうど上記の実施例の方向と逆である。
【００６３】
粒子８の投入中に、内槽２と延伸部の回転方向がスライドプレート６の斜めな方向と同じで、しかもこの方向で連続的に運転して、粒子８がスライドプレート６の動かしで下へ斜めに内槽２の方向に移動して、通路１２を横切って、絶えず内槽２に入って、粒子８の内槽２への投入を完成する。
【００６４】
粒子８の回収中に、内槽２と延伸部の回転方向がスライドプレート６の斜めな方向に逆で、しかもこの方向で連続的に運転して、粒子８がスライドプレート６の動かしで上へ斜めに貯蔵空間１０の方向に移動して、通路１２を横切って、粒子８が絶えず分離されて、絶えず内槽２に離れて貯蔵空間１０に入って、粒子８の貯蔵空間１０への回収を完成する。
【００６５】
実施例六：
上記の実施例一〜五との違いとして、スライドプレート６が内槽２の底部からトップまで螺旋に巻いて設けられて、未図示である。このように内槽２の回転時、粒子８は遠心力の作用で、螺旋に巻いたスライドプレート６に沿って上や下へ斜めに螺旋に移動して、この時、内槽２の回転速度が前述と同じで、普通に５０−１５０回転／ｍｉｎの回転速度で運転することを選ぶことができる。
【００６６】
内槽２と延伸部の回転方向がスライドプレート６の螺旋方向に同じで、しかもこの方向で連続的に運転する時、粒子８はスライドプレート６の動かしで上へ斜めに内槽２の方向に移動して、通路１２を横切って、内槽２に入って、粒子８の内槽２への投入を完成する。
【００６７】
内槽２と延伸部の回転方向がスライドプレート６の螺旋方向に逆で、しかもこの方向で連続的に運転する時に、粒子８はスライドプレート６の動かしで下へ貯蔵空間１０の方向に移動して、通路１２を横切って、内槽２に離れて、貯蔵空間１０に入って、粒子８の貯蔵空間１０への回収を完成する。
【００６８】
当該回収中に、圧倒的部分の粒子８は貯蔵空間１０に回収される。この時に、高速に内槽２と延伸部を回転させて、普通に１００−１０００回転／ｍｉｎの回転速度で運転する。内槽２と延伸部の回転方向がスライドプレート６の螺旋方向に逆で、内槽２内の衣類５と貯蔵空間１０内の粒子８を同時に脱水して、粒子８の再生利用を実現する。この脱水中に、余剰の粒子８は引き続き分離と回収されて、それによって粒子８の１００％の回収を実現する。
【００６９】
洗濯中に、内槽２が正方向と逆方向に交替で運転するので、粒子８はスライドプレート６の動かしで内槽２の中で絶えず前進と後退を行って、粒子８がスライドプレート６に沿って上や下へ斜めに交替で移動して、一定の高さに移動した時に、粒子８がスライドプレート６から内槽６に落ち込んで反転を実現する。
【００７０】
上記の通りに、添付図に提供された方案の内容を結び付けて、類似の技術方案を出すことができる。本発明の技術方案に逸脱しない内容であれば、本発明の技術本質によって上記の実施例に対して行ったいかなる簡単な変更、変化と修飾が本発明の技術方案の範囲に属すものだとみなされる。
【図１】
0005900828.tif 000002
【図２】
0005900828.tif 000003
【図３】
0005900828.tif 000004
【図４】
0005900828.tif 000005